【手続補正書】
【提出日】平成22年6月10日(2010.6.10)
【手続補正１】
【補正対象書類名】特許請求の範囲
【補正対象項目名】全文
【補正方法】変更
【補正の内容】
【特許請求の範囲】
【請求項１】
中心部に円形孔が形成された円盤状の記録媒体を駆動するモータユニットであって、
前記記録媒体の中央部を載置する載置面を有しスピンドルモータのロータ側となるターンテーブルと、
該ターンテーブルの上面に同心状に固定されて前記記録媒体の円形孔に係合するチャッキング部と、
前記ターンテーブルを回転自在に支持する軸受部と、
前記軸受部が内周面に固定される略円筒形状であり、円筒部を有するブッシュと、
前記ブッシュが固着されるプレートと、を備え、
前記ターンテーブルは、前記チャッキング部を固定するための突出部を中心に有すると共に、前記チャッキング部の外周の直径より小さい直径の円周に沿って形成された段部を構成する円筒外周面を有し、
前記チャッキング部は、前記ターンテーブルの突出部に係合する中心孔及び前記記録媒体の円形孔の直径に略等しい直径の外周面を有する本体部と、該本体部の外周面から径方向外方に突出すると共に径方向内方へ変位可能な複数の係合爪と、該係合爪を径方向外方へ付勢する複数の弾性部材とを有し、
前記ターンテーブルの下面には、円環状であって、円環状の内周から径方向へ突出する複数の係合舌部を備える抜け止め部材が固定され、
前記抜け止め部材は、前記係合舌部が前記円筒部の上端に設けられた係合鍔部と係合することによって、前記ロータの軸方向の抜け止め機構を構成する、モータユニット。
【請求項２】
前記係合舌部の周方向両側には切れ込みが形成される、請求項１記載のモータユニット。
【請求項３】
前記ブッシュの外周面には前記ステータ電機子が固定され、
前記ターンテーブルにはロータマグネットが固定され、
前記ターンテーブル及び前記ロータ側に軸方向上方への外力が加わった場合、前記係合舌部は、前記係合鍔部の下面に当たる、請求項１又は２記載のモータユニット。
【請求項４】
前記係合鍔部は、前記段部より内側の下面と、前記抜け止め部材との間に位置する、請求項１から３のいずれかに記載のモータユニット。
【請求項５】
前記係合鍔部は、前記ターンテーブルの上面よりも軸方向上側に位置する、請求項１から４のいずれかに記載のモータユニット。
【請求項６】
前記ターンテーブルの段部を構成する前記円筒外周面と、前記係合爪との間に装着する前記弾性部材を挿入するための複数の弾性部材挿入孔が前記ターンテーブルの載置面に形成されていることを特徴とする、請求項１から５のいずれかに記載のモータユニット。
【請求項７】
前記係合舌部と前記弾性部材とが、周方向で互いに異なる位置に配置されていることを特徴とする、請求項１から６のいずれかに記載のモータユニット。
【請求項８】
前記抜け止め部材は、金属の薄板の打ち抜きプレス加工により作製されることを特徴とする、請求項１から７のいずれかに記載のモータユニット。
【請求項９】
前記抜け止め部材は、スポット溶接によって前記ターンテーブルの下面に固着されることを特徴とする、請求項１から８のいずれかに記載のモータユニット。
【請求項１０】
前記スポット溶接は、前記弾性部材および前記係合舌部と周方向に異なる位置で行われることを特徴とする、請求項９に記載のモータユニット。
【手続補正２】
【補正対象書類名】明細書
【補正対象項目名】０００７
【補正方法】変更
【補正の内容】
【０００７】
本発明によるモータユニットは、中心部に円形孔が形成された円盤状の記録媒体を駆動するモータユニットであって、前記記録媒体の中央部を載置する載置面を有しスピンドルモータのロータ側となるターンテーブルと、該ターンテーブルの上面に同心状に固定されて前記記録媒体の円形孔に係合するチャッキング部と、前記ターンテーブルを回転自在に支持する軸受部と、前記軸受部が内周面に固定される略円筒形状であり、円筒部を有するブッシュと、前記ブッシュが固着されるプレートと、を備え、前記ターンテーブルは、前記チャッキング部を固定するための突出部を中心に有すると共に、前記チャッキング部の外周の直径より小さい直径の円周に沿って形成された段部を構成する円筒外周面を有し、前記チャッキング部は、前記ターンテーブルの突出部に係合する中心孔及び前記記録媒体の円形孔の直径に略等しい直径の外周面を有する本体部と、該本体部の外周面から径方向外方に突出すると共に径方向内方へ変位可能な複数の係合爪と、該係合爪を径方向外方へ付勢する複数の弾性部材とを有し、前記ターンテーブルの下面には、円環状の金属部材であって、円環状の内周から径方向へ突出する複数の係合舌部を備える抜け止め部材が固定され、前記抜け止め部材は、前記係合舌部が前記円筒部の上端に設けられた係合鍔部と係合することによって、前記ロータの軸方向の抜け止め機構を構成することを特徴とする（請求項１）。
【手続補正３】
【補正対象書類名】明細書
【補正対象項目名】０００８
【補正方法】変更
【補正の内容】
【０００８】
本発明によるモータユニットの好ましい構造の一形態として、前記係合舌部の周方向両側には切れ込みが形成されるように構成されている（請求項２）。
【手続補正４】
【補正対象書類名】明細書
【補正対象項目名】０００９
【補正方法】変更
【補正の内容】
【０００９】
本発明によるモータユニットの好ましい構造の別の形態では、前記ブッシュの外周面には前記ステータ電機子が固定され、前記ターンテーブルにはロータマグネットが固定され、前記ターンテーブル及び前記ロータ側に軸方向上方への外力が加わった場合、前記係合舌部は、前記係合鍔部の下面に当たるように構成されている（請求項３）。
【手続補正５】
【補正対象書類名】明細書
【補正対象項目名】００１０
【補正方法】変更
【補正の内容】
【００１０】
本発明によるモータユニットの好ましい構造の別の形態では、前記係合鍔部は、前記段部より内側の下面と、前記抜け止め部材との間に位置するように構成されている（請求項４）。
【手続補正６】
【補正対象書類名】明細書
【補正対象項目名】００１１
【補正方法】変更
【補正の内容】
【００１１】
本発明によるモータユニットの好ましい構造の別の形態では、前記係合鍔部は、前記ターンテーブルの上面よりも軸方向上側に位置するように構成されている（請求項５）。
【手続補正７】
【補正対象書類名】明細書
【補正対象項目名】００１２
【補正方法】変更
【補正の内容】
【００１２】
また、本発明の好ましい実施形態として、前記ターンテーブルの段部を構成する前記円筒外周面と、前記係合爪との間に装着する前記弾性部材を挿入するための複数の弾性部材挿入孔が前記ターンテーブルの載置面に形成されている（請求項６）。
【手続補正８】
【補正対象書類名】明細書
【補正対象項目名】００１４
【補正方法】変更
【補正の内容】
【００１４】
また、本発明によるモータユニットの好ましい構造の一形態として、前記係合舌部と前記弾性部材とが、周方向で互いに異なる位置に配置されている（請求項７）。
【手続補正９】
【補正対象書類名】明細書
【補正対象項目名】００１５
【補正方法】変更
【補正の内容】
【００１５】
また、本発明によるモータユニットの好ましい構造の一形態として、前記抜け止め部材は、金属の薄板の打ち抜きプレス加工により作製される（請求項８）。
【手続補正１０】
【補正対象書類名】明細書
【補正対象項目名】００１６
【補正方法】変更
【補正の内容】
【００１６】
また、本発明によるモータユニットの好ましい構造の一形態として、前記抜け止め部材は、スポット溶接によって前記ターンテーブルの下面に固着される（請求項９）。
【手続補正１１】
【補正対象書類名】明細書
【補正対象項目名】００１７
【補正方法】変更
【補正の内容】
【００１７】
また、本発明によるモータユニットの好ましい構造の一形態として、前記スポット溶接は、前記弾性部材および前記係合舌部と周方向に異なる位置で行われる（請求項１０）。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】変更
【補正の内容】
【００２３】
本発明によれば、ターンテーブルに段部を設けて、中心部がその周りより軸方向に高くなるようにして、軸受部の必要な寸法を確保しながら、抜け止め機構を構成することができる。これによって、軸受部の必要な軸方向寸法を確保しながら、モータユニットの軸方向寸法を低減することが可能になる。